(57)【特許請求の範囲】
【請求項１】
発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システム、における通信制御方法であって、
発信側端末が、第１の電話番号および第２の電話番号を含んだ接続要求を送信するステップと、
着信者番号変換装置が、発信側端末から送信された接続要求を受信し、前記第２の電話番号を第３の電話番号に変換し、前記第１の電話番号および前記第３の電話番号を含んだ変換後の接続要求を送信するステップと、
内線番号変換装置が、着信者番号変換装置から送信された接続要求を受信し、前記第３の電話番号を、該第３の電話番号に対応した内線番号に変換し、前記第１の電話番号、および前記第３の電話番号に対応した内線番号を含んだ変換後の接続要求を送信するステップと、
発着信制御装置が、内線番号変換装置から送信された接続要求を第１の呼として受信し、受信した第１の呼の発着信情報を番号管理装置へ送信することで、該発着信情報に対応する番号情報を問い合わせるステップと、
第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶した番号管理データベースを備えた番号管理装置が、発着信制御装置から前記第１の呼の発着信情報を受信し、前記第１の呼の発着信情報に含まれた第３の電話番号に対応した内線番号をキーとして、第２の電話番号と、該第２の電話番号に対応付けられたデータテーブルと、を導出するステップと、
番号管理装置が、前記第１の電話番号を該データテーブルと照合するステップと、
番号管理装置が、前記第１の電話番号に対応付けられた、前記第４の電話番号に対応した内線番号が前記データテーブルに存在する場合、当該第４の電話番号に対応した内線番号と前記第２の電話番号とを発着信制御装置に送信し、前記第４の電話番号に対応した内線番号が前記データテーブルに存在しない場合、未登録者への着信可否を示す未登録者着信可否設定情報に応じて、前記第１の呼の切断指示を発着信制御装置に送信する、又は、第５の電話番号に対応した内線番号と前記第２の電話番号とを発着信制御装置に送信するステップと、
発着信制御装置が、前記第１の呼の切断指示を受信した場合、前記第１の呼を切断し、前記第４の電話番号に対応した内線番号と前記第２の電話番号とを受信した場合、前記第４の電話番号に対応した内線番号を発信者番号に設定し、前記第２の電話番号を着信者番号に設定して第２の呼として発信を行い、前記第５の電話番号に対応した内線番号と前記第２の電話番号とを受信した場合、前記第５の電話番号に対応した内線番号を発信者番号に設定し、前記第２の電話番号を着信者番号に設定して第２の呼として発信を行うステップと、
内線番号変換装置が、発着信制御装置からの前記第２の呼の接続要求を受信した後、該接続要求の発信者番号に設定された第４の電話番号に対応した内線番号を第４の電話番号に変換し該第４の電話番号が発信者番号に設定された接続要求を送信する、又は、該接続要求の発信者番号に設定された第５の電話番号に対応した内線番号を第５の電話番号に変換し該第５の電話番号が発信者番号に設定された接続要求を送信するステップと、
着信側端末が、前記第４の電話番号又は前記第５の電話番号が発信者番号に設定され前記第２の電話番号が着信者番号に設定された、内線番号変換装置からの前記接続要求を受信するステップと、
着信側端末が、受信した前記接続要求に応答するステップと、
発着信制御装置が、着信側端末からの応答に対し、前記第１の呼と前記第２の呼とを接続し、発信側端末と着信側端末との間を呼接続するステップと、
を備え、
番号管理装置は、発着信制御装置から受信した第１の呼の発着信情報における着信者番号が、前記第４の電話番号に対応した内線番号又は前記第５の電話番号に対応した内線番号であると判断した場合、第１の呼の切断指示を発着信制御装置へ送信し、
異なる第２の電話番号に対応付けられた異なるデータテーブル間では、前記第４の電話番号に対応した内線番号として、同一の番号が重複して設定されている、
ことを特徴とする通信制御方法。
【請求項２】
発信側端末と着信者番号変換装置と内線番号変換装置と発着信制御装置と番号管理装置と着信側端末とを含んで構成され、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システムであって、
発信側端末は、第１の電話番号および第２の電話番号を含んだ接続要求を送信する発信部を備え、
着信者番号変換装置は、発信側端末から送信された接続要求を受信し、前記第２の電話番号を第３の電話番号に変換し、前記第１の電話番号および前記第３の電話番号を含んだ変換後の接続要求を送信する着番号変換送信部を備え、
内線番号変換装置は、
着信者番号変換装置から送信された接続要求を受信し、前記第３の電話番号を、該第３の電話番号に対応した内線番号に変換し、前記第１の電話番号、および前記第３の電話番号に対応した内線番号を含んだ変換後の接続要求を送信する変換送信部と、
発着信制御装置からの前記第２の呼の接続要求を受信した後、該接続要求の発信者番号に設定された第４の電話番号に対応した内線番号を第４の電話番号に変換し該第４の電話番号が発信者番号に設定された接続要求を送信する、又は、該接続要求の発信者番号に設定された第５の電話番号に対応した内線番号を第５の電話番号に変換し該第５の電話番号が発信者番号に設定された接続要求を送信する逆変換送信部と、を備え、
発着信制御装置は、
内線番号変換装置から送信された接続要求を第１の呼として受信し、受信した第１の呼の発着信情報を番号管理装置へ送信することで、該発着信情報に対応する番号情報を問い合わせる番号問合せ部と、
前記第１の呼の切断指示を受信した場合、前記第１の呼を切断し、前記第４の電話番号に対応した内線番号と前記第２の電話番号とを受信した場合、前記第４の電話番号に対応した内線番号を発信者番号に設定し、前記第２の電話番号を着信者番号に設定して第２の呼として発信を行い、前記第５の電話番号に対応した内線番号と前記第２の電話番号とを受信した場合、前記第５の電話番号に対応した内線番号を発信者番号に設定し、前記第２の電話番号を着信者番号に設定して第２の呼として発信を行う発信制御部と、
着信側端末からの応答に対し、前記第１の呼と前記第２の呼とを接続し、発信側端末と着信側端末との間を呼接続する呼接続部と、を備え、
番号管理装置は、
第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶した番号管理データベースと、
発着信制御装置から前記第１の呼の発着信情報を受信し、前記第１の呼の発着信情報に含まれた第３の電話番号に対応した内線番号をキーとして、第２の電話番号と、該第２の電話番号に対応付けられたデータテーブルと、を導出するデータテーブル導出部と、
前記第１の電話番号を該データテーブルと照合する照合部と、
前記第１の電話番号に対応付けられた、前記第４の電話番号に対応した内線番号が前記データテーブルに存在する場合、当該第４の電話番号に対応した内線番号と前記第２の電話番号とを発着信制御装置に送信し、前記第４の電話番号に対応した内線番号が前記データテーブルに存在しない場合、未登録者への着信可否を示す未登録者着信可否設定情報に応じて、前記第１の呼の切断指示を発着信制御装置に送信する、又は、第５の電話番号に対応した内線番号と前記第２の電話番号とを発着信制御装置に送信する番号送信制御部と、を備え、
着信側端末は、
前記第４の電話番号又は前記第５の電話番号が発信者番号に設定され前記第２の電話番号が着信者番号に設定された、内線番号変換装置からの前記接続要求を受信する接続要求受信部と、
受信した前記接続要求に応答する応答部と、を備え、
前記データテーブル導出部は、発着信制御装置から受信した第１の呼の発着信情報における着信者番号が、前記第４の電話番号に対応した内線番号又は前記第５の電話番号に対応した内線番号である場合、第１の呼の切断指示を発着信制御装置へ送信し、
異なる第２の電話番号に対応付けられた異なるデータテーブル間では、前記第４の電話番号に対応した内線番号として、同一の番号が重複して設定されている、
ことを特徴とする通信システム。
【請求項３】
発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が、自己の通信制御装置へルーティングされるよう構成された通信システム内に存在する通信制御装置であって、
第１の呼として発信側端末から送信された、第１の電話番号および第２の電話番号を含んだ接続要求に対し、着信者番号変換装置により、前記第２の電話番号が第３の電話番号に変換され、内線番号変換装置により、前記第３の電話番号が該第３の電話番号に対応した内線番号に変換された後の、前記第１の電話番号および前記第３の電話番号に対応した内線番号を含んだ変換後の接続要求を受信する接続要求受信部と、
第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶した番号管理データベースと、
前記変換後の接続要求に含まれた第３の電話番号に対応した内線番号をキーとして、第２の電話番号と、該第２の電話番号に対応付けられたデータテーブルと、を導出するデータテーブル導出部と、
前記第１の電話番号を該データテーブルと照合する照合部と、
前記第１の電話番号に対応付けられた、前記第４の電話番号に対応した内線番号が前記データテーブルに存在する場合、当該第４の電話番号に対応した内線番号と前記第２の電話番号とを出力し、前記第４の電話番号に対応した内線番号が前記データテーブルに存在しない場合、未登録者への着信可否を示す未登録者着信可否設定情報に応じて、前記第１の呼の切断指示を出力する、又は、第５の電話番号に対応した内線番号と前記第２の電話番号とを出力する番号出力制御部と、
前記第１の呼の切断指示が出力された場合、前記第１の呼を切断し、前記第４の電話番号に対応した内線番号と前記第２の電話番号とが出力された場合、前記第４の電話番号に対応した内線番号を発信者番号に設定し、前記第２の電話番号を着信者番号に設定して第２の呼として発信を行い、前記第５の電話番号に対応した内線番号と前記第２の電話番号とが出力された場合、前記第５の電話番号に対応した内線番号を発信者番号に設定し、前記第２の電話番号を着信者番号に設定して第２の呼として発信を行う発信制御部と、
着信側端末からの応答に対し、前記第１の呼と前記第２の呼とを接続し、発信側端末と着信側端末との間を呼接続する呼接続部と、
を備え、
前記データテーブル導出部は、第１の呼の発着信情報における着信者番号が、前記第４の電話番号に対応した内線番号又は前記第５の電話番号に対応した内線番号であると判断した場合、第１の呼の切断指示を前記発信制御部へ出力し、
異なる第２の電話番号に対応付けられた異なるデータテーブル間では、前記第４の電話番号に対応した内線番号として、同一の番号が重複して設定されている、
ことを特徴とする通信制御装置。
【請求項４】
発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システム、における通信制御方法であって、
発信側端末が、第１の電話番号および第２の電話番号を含んだ接続要求を送信するステップと、
着信者番号変換装置が、発信側端末から送信された接続要求を受信し、前記第２の電話番号を第３の電話番号に変換し、前記第１の電話番号および前記第３の電話番号を含んだ変換後の接続要求を送信するステップと、
発着信制御装置が、着信者番号変換装置から送信された接続要求を第１の呼として受信し、受信した第１の呼の発着信情報を番号管理装置へ送信することで、該発着信情報に対応する番号情報を問い合わせるステップと、
第３の電話番号をキーとして、第３の電話番号、第２の電話番号、および、第１の電話番号と第４の電話番号との複数の組合せから成るデータテーブル、を対応付けて記憶した番号管理データベースを備えた番号管理装置が、発着信制御装置から前記第１の呼の発着信情報を受信し、前記第１の呼の発着信情報に含まれた第３の電話番号をキーとして、第２の電話番号と、該第２の電話番号に対応付けられたデータテーブルと、を導出するステップと、
番号管理装置が、前記第１の電話番号を該データテーブルと照合するステップと、
番号管理装置が、前記第１の電話番号に対応付けられた前記第４の電話番号が前記データテーブルに存在する場合、当該第４の電話番号と前記第２の電話番号とを発着信制御装置に送信し、前記第４の電話番号が前記データテーブルに存在しない場合、未登録者への着信可否を示す未登録者着信可否設定情報に応じて、前記第１の呼の切断指示を発着信制御装置に送信する、又は、第５の電話番号と前記第２の電話番号とを発着信制御装置に送信するステップと、
発着信制御装置が、前記第１の呼の切断指示を受信した場合、前記第１の呼を切断し、前記第４の電話番号と前記第２の電話番号とを受信した場合、前記第４の電話番号を発信者番号に設定し、前記第２の電話番号を着信者番号に設定して第２の呼として発信を行い、前記第５の電話番号と前記第２の電話番号とを受信した場合、前記第５の電話番号を発信者番号に設定し、前記第２の電話番号を着信者番号に設定して第２の呼として発信を行うステップと、
着信側端末が、前記第４の電話番号又は前記第５の電話番号が発信者番号に設定され前記第２の電話番号が着信者番号に設定された、発着信制御装置からの前記接続要求を受信するステップと、
着信側端末が、受信した前記接続要求に応答するステップと、
発着信制御装置が、着信側端末からの応答に対し、前記第１の呼と前記第２の呼とを接続し、発信側端末と着信側端末との間を呼接続するステップと、
を備え、
番号管理装置は、発着信制御装置から受信した第１の呼の発着信情報における着信者番号が、前記第４の電話番号又は前記第５の電話番号であると判断した場合、第１の呼の切断指示を発着信制御装置へ送信し、
異なる第２の電話番号に対応付けられた異なるデータテーブル間では、前記第４の電話番号として、同一の番号が重複して設定されている、
ことを特徴とする通信制御方法。
【請求項５】
発信側端末と着信者番号変換装置と発着信制御装置と番号管理装置と着信側端末とを含んで構成され、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システムであって、
発信側端末は、第１の電話番号および第２の電話番号を含んだ接続要求を送信する発信部を備え、
着信者番号変換装置は、発信側端末から送信された接続要求を受信し、前記第２の電話番号を第３の電話番号に変換し、前記第１の電話番号および前記第３の電話番号を含んだ変換後の接続要求を送信する着番号変換送信部を備え、
発着信制御装置は、
着信者番号変換装置から送信された接続要求を第１の呼として受信し、受信した第１の呼の発着信情報を番号管理装置へ送信することで、該発着信情報に対応する番号情報を問い合わせる番号問合せ部と、
前記第１の呼の切断指示を受信した場合、前記第１の呼を切断し、前記第４の電話番号と前記第２の電話番号とを受信した場合、前記第４の電話番号を発信者番号に設定し、前記第２の電話番号を着信者番号に設定して第２の呼として発信を行い、前記第５の電話番号と前記第２の電話番号とを受信した場合、前記第５の電話番号を発信者番号に設定し、前記第２の電話番号を着信者番号に設定して第２の呼として発信を行う発信制御部と、
着信側端末からの応答に対し、前記第１の呼と前記第２の呼とを接続し、発信側端末と着信側端末との間を呼接続する呼接続部と、を備え、
番号管理装置は、
第３の電話番号をキーとして、第３の電話番号、第２の電話番号、および、第１の電話番号と第４の電話番号との複数の組合せから成るデータテーブル、を対応付けて記憶した番号管理データベースと、
発着信制御装置から前記第１の呼の発着信情報を受信し、前記第１の呼の発着信情報に含まれた第３の電話番号をキーとして、第２の電話番号と、該第２の電話番号に対応付けられたデータテーブルと、を導出するデータテーブル導出部と、
前記第１の電話番号を該データテーブルと照合する照合部と、
前記第１の電話番号に対応付けられた前記第４の電話番号が前記データテーブルに存在する場合、当該第４の電話番号と前記第２の電話番号とを発着信制御装置に送信し、前記第４の電話番号が前記データテーブルに存在しない場合、未登録者への着信可否を示す未登録者着信可否設定情報に応じて、前記第１の呼の切断指示を発着信制御装置に送信する、又は、第５の電話番号と前記第２の電話番号とを発着信制御装置に送信する番号送信制御部と、を備え、
着信側端末は、
前記第４の電話番号又は前記第５の電話番号が発信者番号に設定され前記第２の電話番号が着信者番号に設定された、発着信制御装置からの前記接続要求を受信する接続要求受信部と、
受信した前記接続要求に応答する応答部と、を備えており、
前記データテーブル導出部は、発着信制御装置から受信した第１の呼の発着信情報における着信者番号が、前記第４の電話番号又は前記第５の電話番号である場合、第１の呼の切断指示を発着信制御装置へ送信し、
異なる第２の電話番号に対応付けられた異なるデータテーブル間では、前記第４の電話番号として、同一の番号が重複して設定されている、
ことを特徴とする通信システム。
【請求項６】
発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が、自己の通信制御装置へルーティングされるよう構成された通信システム内に存在する通信制御装置であって、
第１の呼として発信側端末から送信された、第１の電話番号および第２の電話番号を含んだ接続要求に対し、着信者番号変換装置により、前記第２の電話番号が第３の電話番号に変換された後の、前記第１の電話番号および前記第３の電話番号を含んだ変換後の接続要求を受信する接続要求受信部と、
第３の電話番号をキーとして、第３の電話番号、第２の電話番号、および、第１の電話番号と第４の電話番号との複数の組合せから成るデータテーブル、を対応付けて記憶した番号管理データベースと、
前記変換後の接続要求に含まれた第３の電話番号をキーとして、第２の電話番号と、該第２の電話番号に対応付けられたデータテーブルと、を導出するデータテーブル導出部と、
前記第１の電話番号を該データテーブルと照合する照合部と、
前記第１の電話番号に対応付けられた前記第４の電話番号が前記データテーブルに存在する場合、当該第４の電話番号と前記第２の電話番号とを出力し、前記第４の電話番号が前記データテーブルに存在しない場合、未登録者への着信可否を示す未登録者着信可否設定情報に応じて、前記第１の呼の切断指示を出力する、又は、第５の電話番号と前記第２の電話番号とを出力する番号出力制御部と、
前記第１の呼の切断指示が出力された場合、前記第１の呼を切断し、前記第４の電話番号と前記第２の電話番号とが出力された場合、前記第４の電話番号を発信者番号に設定し、前記第２の電話番号を着信者番号に設定して第２の呼として発信を行い、前記第５の電話番号と前記第２の電話番号とが出力された場合、前記第５の電話番号を発信者番号に設定し、前記第２の電話番号を着信者番号に設定して第２の呼として発信を行う発信制御部と、
着信側端末からの応答に対し、前記第１の呼と前記第２の呼とを接続し、発信側端末と着信側端末との間を呼接続する呼接続部と、
を備え、
前記データテーブル導出部は、第１の呼の発着信情報における着信者番号が、前記第４の電話番号又は前記第５の電話番号であると判断した場合、第１の呼の切断指示を前記発信制御部へ出力し、
異なる第２の電話番号に対応付けられた異なるデータテーブル間では、前記第４の電話番号として、同一の番号が重複して設定されている、
ことを特徴とする通信制御装置。
【請求項７】
前記未登録者着信可否設定情報は、設定変更可能とされていることを特徴とする請求項２又は５に記載の通信システム。
【発明の詳細な説明】
【技術分野】
【０００１】
本発明は、ダミー番号を用いた電話番号の秘匿を行う通信制御方法、通信システムおよび通信制御装置に関する。
【背景技術】
【０００２】
発信者端末の電話番号と着信者端末の電話番号のうち一方又は両方を秘匿して、発信者端末−着信者端末間で通話するシステムが知られている（特許文献１、２、３参照）。例えば、特許文献１には、発信者端末の電話番号と着信者端末の電話番号の少なくとも一方をダミーのＩＤに対応させて記憶するデータベースを持ち、発信者端末が接続先情報と共に出力するサービスコードに応じて、「発信者番号のみ秘匿」、「着信者番号のみ秘匿」、「発信者番号と着信者番号の両方を秘匿」のうち１つを選択可能とするシステムが提案されている。
【特許文献１】特開２００１−２６８２３０号公報
【特許文献２】特開２００５−５７４１８号公報
【特許文献３】特開２００８−４２５８８号公報
【発明の開示】
【発明が解決しようとする課題】
【０００３】
特許文献１記載のシステムでは、ダミーのＩＤ（秘匿用の電話番号）が１ユーザに対し１つ必要とされるため、公衆網から払い出される番号がユーザ数分必要となってしまう。ところが、実際に公衆網から払い出し可能な番号の総数には限りがあるため、上記システムは拡張可能性の点で改善の余地がある。
【０００４】
一方、特許文献２には、実際の電話番号と公開番号との対応付けを中継システムに登録しておき、発信者からの公開番号宛の着信を中継システムで実際の電話番号に転送することで、発信者には実際の電話番号を秘匿とするシステムが提案されている。特許文献３には、実際の電話番号と公開番号との対応付けを中継システムに登録しておき、中継システムで転送する際に、発番号を実際の電話番号から公開番号に変換することで、実際の発信者の電話番号を秘匿した上で、着信者の端末には公開番号による発信者表示を可能とするシステムが提案されている。
【０００５】
ところが、特許文献２、３の技術では、公開番号に対し着信側から発信を行うと、当該公開番号に対応付けられた発信者の電話番号に着信するため、着信者が端末を紛失した場合に、第三者が、着信者端末の着信履歴に残った公開番号に発信を行った際に、当該公開番号に対応付けられた発信者端末へ接続可能となり、セキュリティの点で改善の余地がある。
【０００６】
本発明は、上記の課題を解決するために成されたものであり、システムの優れた拡張可能性を維持しつつ、端末紛失時のセキュリティを十分に確保することを目的とする。
【課題を解決するための手段】
【０００７】
本発明に係る通信制御方法は、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システム、における通信制御方法であって、発信側端末が、第１の電話番号および第２の電話番号を含んだ接続要求を送信するステップと、着信者番号変換装置が、発信側端末から送信された接続要求を受信し、前記第２の電話番号を第３の電話番号に変換し、前記第１の電話番号および前記第３の電話番号を含んだ変換後の接続要求を送信するステップと、内線番号変換装置が、着信者番号変換装置から送信された接続要求を受信し、前記第３の電話番号を、該第３の電話番号に対応した内線番号に変換し、前記第１の電話番号、および前記第３の電話番号に対応した内線番号を含んだ変換後の接続要求を送信するステップと、発着信制御装置が、内線番号変換装置から送信された接続要求を第１の呼として受信し、受信した第１の呼の発着信情報を番号管理装置へ送信することで、該発着信情報に対応する番号情報を問い合わせるステップと、第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶した番号管理データベースを備えた番号管理装置が、発着信制御装置から前記第１の呼の発着信情報を受信し、前記第１の呼の発着信情報に含まれた第３の電話番号に対応した内線番号をキーとして、第２の電話番号と、該第２の電話番号に対応付けられたデータテーブルと、を導出するステップと、番号管理装置が、前記第１の電話番号を該データテーブルと照合するステップと、番号管理装置が、前記第１の電話番号に対応付けられた、前記第４の電話番号に対応した内線番号が前記データテーブルに存在する場合、当該第４の電話番号に対応した内線番号と前記第２の電話番号とを発着信制御装置に送信し、前記第４の電話番号に対応した内線番号が前記データテーブルに存在しない場合、未登録者への着信可否を示す未登録者着信可否設定情報に応じて、前記第１の呼の切断指示を発着信制御装置に送信する、又は、第５の電話番号に対応した内線番号と前記第２の電話番号とを発着信制御装置に送信するステップと、発着信制御装置が、前記第１の呼の切断指示を受信した場合、前記第１の呼を切断し、前記第４の電話番号に対応した内線番号と前記第２の電話番号とを受信した場合、前記第４の電話番号に対応した内線番号を発信者番号に設定し、前記第２の電話番号を着信者番号に設定して第２の呼として発信を行い、前記第５の電話番号に対応した内線番号と前記第２の電話番号とを受信した場合、前記第５の電話番号に対応した内線番号を発信者番号に設定し、前記第２の電話番号を着信者番号に設定して第２の呼として発信を行うステップと、内線番号変換装置が、発着信制御装置からの前記第２の呼の接続要求を受信した後、該接続要求の発信者番号に設定された第４の電話番号に対応した内線番号を第４の電話番号に変換し該第４の電話番号が発信者番号に設定された接続要求を送信する、又は、該接続要求の発信者番号に設定された第５の電話番号に対応した内線番号を第５の電話番号に変換し該第５の電話番号が発信者番号に設定された接続要求を送信するステップと、着信側端末が、前記第４の電話番号又は前記第５の電話番号が発信者番号に設定され前記第２の電話番号が着信者番号に設定された、内線番号変換装置からの前記接続要求を受信するステップと、着信側端末が、受信した前記接続要求に応答するステップと、発着信制御装置が、着信側端末からの応答に対し、前記第１の呼と前記第２の呼とを接続し、発信側端末と着信側端末との間を呼接続するステップと、を備え、番号管理装置は、発着信制御装置から受信した第１の呼の発着信情報における着信者番号が、前記第４の電話番号に対応した内線番号又は前記第５の電話番号に対応した内線番号であると判断した場合、第１の呼の切断指示を発着信制御装置へ送信し、異なる第２の電話番号に対応付けられた異なるデータテーブル間では、前記第４の電話番号に対応した内線番号として、同一の番号が重複して設定されている、ことを特徴とする。
【０００８】
また、本発明に係る通信システムは、発信側端末と着信者番号変換装置と内線番号変換装置と発着信制御装置と番号管理装置と着信側端末とを含んで構成され、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システムであって、発信側端末は、第１の電話番号および第２の電話番号を含んだ接続要求を送信する発信部を備え、着信者番号変換装置は、発信側端末から送信された接続要求を受信し、前記第２の電話番号を第３の電話番号に変換し、前記第１の電話番号および前記第３の電話番号を含んだ変換後の接続要求を送信する着番号変換送信部を備え、内線番号変換装置は、着信者番号変換装置から送信された接続要求を受信し、前記第３の電話番号を、該第３の電話番号に対応した内線番号に変換し、前記第１の電話番号、および前記第３の電話番号に対応した内線番号を含んだ変換後の接続要求を送信する変換送信部と、発着信制御装置からの前記第２の呼の接続要求を受信した後、該接続要求の発信者番号に設定された第４の電話番号に対応した内線番号を第４の電話番号に変換し該第４の電話番号が発信者番号に設定された接続要求を送信する、又は、該接続要求の発信者番号に設定された第５の電話番号に対応した内線番号を第５の電話番号に変換し該第５の電話番号が発信者番号に設定された接続要求を送信する逆変換送信部と、を備え、発着信制御装置は、内線番号変換装置から送信された接続要求を第１の呼として受信し、受信した第１の呼の発着信情報を番号管理装置へ送信することで、該発着信情報に対応する番号情報を問い合わせる番号問合せ部と、前記第１の呼の切断指示を受信した場合、前記第１の呼を切断し、前記第４の電話番号に対応した内線番号と前記第２の電話番号とを受信した場合、前記第４の電話番号に対応した内線番号を発信者番号に設定し、前記第２の電話番号を着信者番号に設定して第２の呼として発信を行い、前記第５の電話番号に対応した内線番号と前記第２の電話番号とを受信した場合、前記第５の電話番号に対応した内線番号を発信者番号に設定し、前記第２の電話番号を着信者番号に設定して第２の呼として発信を行う発信制御部と、着信側端末からの応答に対し、前記第１の呼と前記第２の呼とを接続し、発信側端末と着信側端末との間を呼接続する呼接続部と、を備え、番号管理装置は、第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶した番号管理データベースと、発着信制御装置から前記第１の呼の発着信情報を受信し、前記第１の呼の発着信情報に含まれた第３の電話番号に対応した内線番号をキーとして、第２の電話番号と、該第２の電話番号に対応付けられたデータテーブルと、を導出するデータテーブル導出部と、前記第１の電話番号を該データテーブルと照合する照合部と、前記第１の電話番号に対応付けられた、前記第４の電話番号に対応した内線番号が前記データテーブルに存在する場合、当該第４の電話番号に対応した内線番号と前記第２の電話番号とを発着信制御装置に送信し、前記第４の電話番号に対応した内線番号が前記データテーブルに存在しない場合、未登録者への着信可否を示す未登録者着信可否設定情報に応じて、前記第１の呼の切断指示を発着信制御装置に送信する、又は、第５の電話番号に対応した内線番号と前記第２の電話番号とを発着信制御装置に送信する番号送信制御部と、を備え、着信側端末は、前記第４の電話番号又は前記第５の電話番号が発信者番号に設定され前記第２の電話番号が着信者番号に設定された、内線番号変換装置からの前記接続要求を受信する接続要求受信部と、受信した前記接続要求に応答する応答部と、を備え、前記データテーブル導出部は、発着信制御装置から受信した第１の呼の発着信情報における着信者番号が、前記第４の電話番号に対応した内線番号又は前記第５の電話番号に対応した内線番号である場合、第１の呼の切断指示を発着信制御装置へ送信し、異なる第２の電話番号に対応付けられた異なるデータテーブル間では、前記第４の電話番号に対応した内線番号として、同一の番号が重複して設定されている、ことを特徴とする。
【０００９】
上記の通信制御方法および通信システムによれば、異なる第２の電話番号に対応付けられた異なるデータテーブル間では、第４の電話番号に対応した内線番号として同一の番号が重複して設定されているため、設定可能な番号の総数が有限な状況において、システムの優れた拡張可能性を維持できる。また、仮に、紛失した着信側端末から、着信履歴を利用して発信側端末へ発信した場合には、着信者番号が、第４の電話番号に対応した内線番号又は第５の電話番号に対応した内線番号であると認識され、第１の呼の切断指示が発着信制御装置へ送信されるため、上記のような発信側端末への発信の呼（第１の呼）は切断されてしまい、その結果、端末紛失時のセキュリティを十分に確保することができる。
【００１０】
ところで、発着信制御装置と番号管理装置とは、１つの通信制御装置により構成することができる。その際、本発明は、以下のように通信制御装置に係る発明として記述することもでき、同様の作用・効果を奏する。
【００１１】
本発明に係る通信制御装置は、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が、自己の通信制御装置へルーティングされるよう構成された通信システム内に存在する通信制御装置であって、第１の呼として発信側端末から送信された、第１の電話番号および第２の電話番号を含んだ接続要求に対し、着信者番号変換装置により、前記第２の電話番号が第３の電話番号に変換され、内線番号変換装置により、前記第３の電話番号が該第３の電話番号に対応した内線番号に変換された後の、前記第１の電話番号および前記第３の電話番号に対応した内線番号を含んだ変換後の接続要求を受信する接続要求受信部と、第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶した番号管理データベースと、前記変換後の接続要求に含まれた第３の電話番号に対応した内線番号をキーとして、第２の電話番号と、該第２の電話番号に対応付けられたデータテーブルと、を導出するデータテーブル導出部と、前記第１の電話番号を該データテーブルと照合する照合部と、前記第１の電話番号に対応付けられた、前記第４の電話番号に対応した内線番号が前記データテーブルに存在する場合、当該第４の電話番号に対応した内線番号と前記第２の電話番号とを出力し、前記第４の電話番号に対応した内線番号が前記データテーブルに存在しない場合、未登録者への着信可否を示す未登録者着信可否設定情報に応じて、前記第１の呼の切断指示を出力する、又は、第５の電話番号に対応した内線番号と前記第２の電話番号とを出力する番号出力制御部と、前記第１の呼の切断指示が出力された場合、前記第１の呼を切断し、前記第４の電話番号に対応した内線番号と前記第２の電話番号とが出力された場合、前記第４の電話番号に対応した内線番号を発信者番号に設定し、前記第２の電話番号を着信者番号に設定して第２の呼として発信を行い、前記第５の電話番号に対応した内線番号と前記第２の電話番号とが出力された場合、前記第５の電話番号に対応した内線番号を発信者番号に設定し、前記第２の電話番号を着信者番号に設定して第２の呼として発信を行う発信制御部と、着信側端末からの応答に対し、前記第１の呼と前記第２の呼とを接続し、発信側端末と着信側端末との間を呼接続する呼接続部と、を備え、前記データテーブル導出部は、第１の呼の発着信情報における着信者番号が、前記第４の電話番号に対応した内線番号又は前記第５の電話番号に対応した内線番号であると判断した場合、第１の呼の切断指示を前記発信制御部へ出力し、異なる第２の電話番号に対応付けられた異なるデータテーブル間では、前記第４の電話番号に対応した内線番号として、同一の番号が重複して設定されている、ことを特徴とする。
【００１２】
ところで、本発明は、「内線番号変換装置」および「内線番号変換装置による動作」を省略した構成とすることもでき、以下のように記述することができる。
【００１３】
本発明に係る通信制御方法は、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システム、における通信制御方法であって、発信側端末が、第１の電話番号および第２の電話番号を含んだ接続要求を送信するステップと、着信者番号変換装置が、発信側端末から送信された接続要求を受信し、前記第２の電話番号を第３の電話番号に変換し、前記第１の電話番号および前記第３の電話番号を含んだ変換後の接続要求を送信するステップと、発着信制御装置が、着信者番号変換装置から送信された接続要求を第１の呼として受信し、受信した第１の呼の発着信情報を番号管理装置へ送信することで、該発着信情報に対応する番号情報を問い合わせるステップと、第３の電話番号をキーとして、第３の電話番号、第２の電話番号、および、第１の電話番号と第４の電話番号との複数の組合せから成るデータテーブル、を対応付けて記憶した番号管理データベースを備えた番号管理装置が、発着信制御装置から前記第１の呼の発着信情報を受信し、前記第１の呼の発着信情報に含まれた第３の電話番号をキーとして、第２の電話番号と、該第２の電話番号に対応付けられたデータテーブルと、を導出するステップと、番号管理装置が、前記第１の電話番号を該データテーブルと照合するステップと、番号管理装置が、前記第１の電話番号に対応付けられた前記第４の電話番号が前記データテーブルに存在する場合、当該第４の電話番号と前記第２の電話番号とを発着信制御装置に送信し、前記第４の電話番号が前記データテーブルに存在しない場合、未登録者への着信可否を示す未登録者着信可否設定情報に応じて、前記第１の呼の切断指示を発着信制御装置に送信する、又は、第５の電話番号と前記第２の電話番号とを発着信制御装置に送信するステップと、発着信制御装置が、前記第１の呼の切断指示を受信した場合、前記第１の呼を切断し、前記第４の電話番号と前記第２の電話番号とを受信した場合、前記第４の電話番号を発信者番号に設定し、前記第２の電話番号を着信者番号に設定して第２の呼として発信を行い、前記第５の電話番号と前記第２の電話番号とを受信した場合、前記第５の電話番号を発信者番号に設定し、前記第２の電話番号を着信者番号に設定して第２の呼として発信を行うステップと、着信側端末が、前記第４の電話番号又は前記第５の電話番号が発信者番号に設定され前記第２の電話番号が着信者番号に設定された、発着信制御装置からの前記接続要求を受信するステップと、着信側端末が、受信した前記接続要求に応答するステップと、発着信制御装置が、着信側端末からの応答に対し、前記第１の呼と前記第２の呼とを接続し、発信側端末と着信側端末との間を呼接続するステップと、を備え、番号管理装置は、発着信制御装置から受信した第１の呼の発着信情報における着信者番号が、前記第４の電話番号又は前記第５の電話番号であると判断した場合、第１の呼の切断指示を発着信制御装置へ送信し、異なる第２の電話番号に対応付けられた異なるデータテーブル間では、前記第４の電話番号として、同一の番号が重複して設定されている、ことを特徴とする。
【００１４】
また、本発明に係る通信システムは、発信側端末と着信者番号変換装置と発着信制御装置と番号管理装置と着信側端末とを含んで構成され、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が発着信制御装置へルーティングされるよう構成された通信システムであって、発信側端末は、第１の電話番号および第２の電話番号を含んだ接続要求を送信する発信部を備え、着信者番号変換装置は、発信側端末から送信された接続要求を受信し、前記第２の電話番号を第３の電話番号に変換し、前記第１の電話番号および前記第３の電話番号を含んだ変換後の接続要求を送信する着番号変換送信部を備え、発着信制御装置は、着信者番号変換装置から送信された接続要求を第１の呼として受信し、受信した第１の呼の発着信情報を番号管理装置へ送信することで、該発着信情報に対応する番号情報を問い合わせる番号問合せ部と、前記第１の呼の切断指示を受信した場合、前記第１の呼を切断し、前記第４の電話番号と前記第２の電話番号とを受信した場合、前記第４の電話番号を発信者番号に設定し、前記第２の電話番号を着信者番号に設定して第２の呼として発信を行い、前記第５の電話番号と前記第２の電話番号とを受信した場合、前記第５の電話番号を発信者番号に設定し、前記第２の電話番号を着信者番号に設定して第２の呼として発信を行う発信制御部と、着信側端末からの応答に対し、前記第１の呼と前記第２の呼とを接続し、発信側端末と着信側端末との間を呼接続する呼接続部と、を備え、番号管理装置は、第３の電話番号をキーとして、第３の電話番号、第２の電話番号、および、第１の電話番号と第４の電話番号との複数の組合せから成るデータテーブル、を対応付けて記憶した番号管理データベースと、発着信制御装置から前記第１の呼の発着信情報を受信し、前記第１の呼の発着信情報に含まれた第３の電話番号をキーとして、第２の電話番号と、該第２の電話番号に対応付けられたデータテーブルと、を導出するデータテーブル導出部と、前記第１の電話番号を該データテーブルと照合する照合部と、前記第１の電話番号に対応付けられた前記第４の電話番号が前記データテーブルに存在する場合、当該第４の電話番号と前記第２の電話番号とを発着信制御装置に送信し、前記第４の電話番号が前記データテーブルに存在しない場合、未登録者への着信可否を示す未登録者着信可否設定情報に応じて、前記第１の呼の切断指示を発着信制御装置に送信する、又は、第５の電話番号と前記第２の電話番号とを発着信制御装置に送信する番号送信制御部と、を備え、着信側端末は、前記第４の電話番号又は前記第５の電話番号が発信者番号に設定され前記第２の電話番号が着信者番号に設定された、発着信制御装置からの前記接続要求を受信する接続要求受信部と、受信した前記接続要求に応答する応答部と、を備えており、前記データテーブル導出部は、発着信制御装置から受信した第１の呼の発着信情報における着信者番号が、前記第４の電話番号又は前記第５の電話番号である場合、第１の呼の切断指示を発着信制御装置へ送信し、異なる第２の電話番号に対応付けられた異なるデータテーブル間では、前記第４の電話番号として、同一の番号が重複して設定されている、ことを特徴とする。
【００１５】
さらに、本発明に係る通信制御装置は、発信者番号としての第１の電話番号および着信者番号としての第２の電話番号とともに、前記第２の電話番号に予め対応付けられた第３の電話番号、前記第１の電話番号に予め対応付けられたダミー番号としての第４の電話番号、および未登録者用のダミー番号としての第５の電話番号が存在し、前記第３の電話番号、前記第４の電話番号および前記第５の電話番号のうち何れかを発信者番号とする接続要求が、自己の通信制御装置へルーティングされるよう構成された通信システム内に存在する通信制御装置であって、第１の呼として発信側端末から送信された、第１の電話番号および第２の電話番号を含んだ接続要求に対し、着信者番号変換装置により、前記第２の電話番号が第３の電話番号に変換された後の、前記第１の電話番号および前記第３の電話番号を含んだ変換後の接続要求を受信する接続要求受信部と、第３の電話番号をキーとして、第３の電話番号、第２の電話番号、および、第１の電話番号と第４の電話番号との複数の組合せから成るデータテーブル、を対応付けて記憶した番号管理データベースと、前記変換後の接続要求に含まれた第３の電話番号をキーとして、第２の電話番号と、該第２の電話番号に対応付けられたデータテーブルと、を導出するデータテーブル導出部と、前記第１の電話番号を該データテーブルと照合する照合部と、前記第１の電話番号に対応付けられた前記第４の電話番号が前記データテーブルに存在する場合、当該第４の電話番号と前記第２の電話番号とを出力し、前記第４の電話番号が前記データテーブルに存在しない場合、未登録者への着信可否を示す未登録者着信可否設定情報に応じて、前記第１の呼の切断指示を出力する、又は、第５の電話番号と前記第２の電話番号とを出力する番号出力制御部と、前記第１の呼の切断指示が出力された場合、前記第１の呼を切断し、前記第４の電話番号と前記第２の電話番号とが出力された場合、前記第４の電話番号を発信者番号に設定し、前記第２の電話番号を着信者番号に設定して第２の呼として発信を行い、前記第５の電話番号と前記第２の電話番号とが出力された場合、前記第５の電話番号を発信者番号に設定し、前記第２の電話番号を着信者番号に設定して第２の呼として発信を行う発信制御部と、着信側端末からの応答に対し、前記第１の呼と前記第２の呼とを接続し、発信側端末と着信側端末との間を呼接続する呼接続部と、を備え、前記データテーブル導出部は、第１の呼の発着信情報における着信者番号が、前記第４の電話番号又は前記第５の電話番号であると判断した場合、第１の呼の切断指示を前記発信制御部へ出力し、異なる第２の電話番号に対応付けられた異なるデータテーブル間では、前記第４の電話番号として、同一の番号が重複して設定されている、ことを特徴とする。
【００１６】
ところで、上記の未登録者着信可否設定情報は、設定変更可能とされている。このため、第４の電話番号に対応した内線番号が存在しない場合に、第１の呼を切断させるか否かを設定可能とされている。
【発明の効果】
【００１７】
本発明によれば、システムの優れた拡張可能性を維持しつつ、端末紛失時のセキュリティを十分に確保することができる。
【発明を実施するための最良の形態】
【００１８】
以下、本発明にかかる各種の実施形態について図面を参照して説明する。
【００１９】
［第１実施形態］
（通信システムおよび各装置の構成）
まず、本実施形態にかかる通信システムの構成について説明する。図１に示すように、本実施形態にかかる通信システム１は、複数の端末（発信側端末１０、着信側端末７０）と、交換局２０と、着信者番号変換装置３０と、内線番号変換装置４０と、発着信制御装置５０と、番号管理装置６０とを含んで構成される。このうち、交換局２０と着信者番号変換装置３０は移動通信網８０内に設けられ、内線番号変換装置４０と発着信制御装置５０と番号管理装置６０はＩＰ網９０内に設けられている。移動通信網８０とＩＰ網９０は、図示しないゲートウェイ装置により相互接続される。
【００２０】
通信システム１では、発信者番号としての第１の電話番号および着信者番号としての第２の電話番号とともに、第２の電話番号に予め対応付けられた第３の電話番号、第１の電話番号に予め対応付けられたダミー番号としての第４の電話番号、および未登録者用のダミー番号としての第５の電話番号が存在し、第３の電話番号、第４の電話番号および第５の電話番号のうち何れかを発信者番号とする接続要求は、ＩＰ網９０内の発着信制御装置５０へルーティングされるよう構成されている。
【００２１】
以下、各装置の機能ブロック構成を説明する。
【００２２】
発信側端末１０は、第１の電話番号および第２の電話番号を含んだ接続要求を送信する発信部１１を備え、着信者番号変換装置３０は、発信側端末１０から送信された接続要求を受信し、第２の電話番号を第３の電話番号に変換し、第１の電話番号および第３の電話番号を含んだ変換後の接続要求を送信する着番号変換送信部３１を備えている。
【００２３】
内線番号変換装置４０は、変換送信部４１と逆変換送信部４２とを備えている。このうち、変換送信部４１は、着信者番号変換装置３０から送信された接続要求を受信し、第３の電話番号を、該第３の電話番号に対応した内線番号に変換し、第１の電話番号、および第３の電話番号に対応した内線番号を含んだ変換後の接続要求を送信する。逆変換送信部４２は、発着信制御装置５０からの第２の呼の接続要求を受信した後、該接続要求の発信者番号に設定された第４の電話番号に対応した内線番号を第４の電話番号に変換し該第４の電話番号が発信者番号に設定された接続要求を送信する、又は、該接続要求の発信者番号に設定された第５の電話番号に対応した内線番号を第５の電話番号に変換し該第５の電話番号が発信者番号に設定された接続要求を送信する。
【００２４】
発着信制御装置５０は、番号問合せ部５１と発信制御部５２と呼接続部５３とを備えている。このうち、番号問合せ部５１は、内線番号変換装置４０から送信された接続要求を第１の呼として受信し、受信した第１の呼の発着信情報を番号管理装置６０へ送信することで、該発着信情報に対応する番号情報を問い合わせる。発信制御部５２は、第１の呼の切断指示を受信した場合、第１の呼を切断し、第４の電話番号に対応した内線番号と第２の電話番号とを受信した場合、第４の電話番号に対応した内線番号を発信者番号に設定し、第２の電話番号を着信者番号に設定して第２の呼として発信を行い、第５の電話番号に対応した内線番号と第２の電話番号とを受信した場合、第５の電話番号に対応した内線番号を発信者番号に設定し、第２の電話番号を着信者番号に設定して第２の呼として発信を行う。呼接続部５３は、着信側端末７０からの応答に対し、第１の呼と第２の呼とを接続し、発信側端末１０と着信側端末７０との間を呼接続する。
【００２５】
番号管理装置６０は、番号管理データベース（以下「番号管理ＤＢ」という）６１とデータテーブル導出部６２と照合部６３と番号送信制御部６４とを備えている。このうち、番号管理ＤＢ６１は、第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶している。データテーブル導出部６２は、発着信制御装置５０から第１の呼の発着信情報を受信し、第１の呼の発着信情報に含まれた第３の電話番号に対応した内線番号をキーとして、第２の電話番号と、該第２の電話番号に対応付けられたデータテーブルと、を導出する。照合部６３は、第１の電話番号を該データテーブルと照合する。番号送信制御部６４は、第１の電話番号に対応付けられた、第４の電話番号に対応した内線番号がデータテーブルに存在する場合、当該第４の電話番号に対応した内線番号と第２の電話番号とを発着信制御装置５０に送信し、第４の電話番号に対応した内線番号がデータテーブルに存在しない場合、未登録者への着信可否を示す未登録者着信可否設定情報に応じて、第１の呼の切断指示を発着信制御装置５０に送信する、又は、第５の電話番号に対応した内線番号と第２の電話番号とを発着信制御装置５０に送信する。
【００２６】
なお、図示は省略したが、番号管理ＤＢ６１は、上記の未登録者着信可否設定情報をユーザごとに記憶しており、この未登録者着信可否設定情報はユーザにより設定変更可能とされている。番号送信制御部６４は、上記の未登録者着信可否設定情報を参照して、上述した制御動作を行う。また、番号管理ＤＢ６１には、未登録者用のダミーＩＤとしての第５の電話番号050-Sと、第５の電話番号050-Sに対応した内線番号800Sとが、予め記憶されている。
【００２７】
着信側端末７０は、第４の電話番号又は第５の電話番号が発信者番号に設定され第２の電話番号が着信者番号に設定された、内線番号変換装置４０からの接続要求を受信する接続要求受信部７１と、受信した接続要求に応答する応答部７２と、を備えている。
【００２８】
上記のうち、番号管理装置６０のデータテーブル導出部６２は、発着信制御装置５０から受信した第１の呼の発着信情報における着信者番号が、第４の電話番号に対応した内線番号又は第５の電話番号に対応した内線番号である場合、第１の呼の切断指示を発着信制御装置５０へ送信する機能を有している。
【００２９】
また、番号管理ＤＢ６１では、異なる第２の電話番号に対応付けられた異なるデータテーブル間では、第４の電話番号に対応した内線番号として、同一の番号が重複して設定されていることを特徴とする。
【００３０】
具体的には、図２に示すように番号管理ＤＢ６１では、第２の電話番号「090-A」に対応付けられたデータテーブル６１Ａ、第２の電話番号「090-B」に対応付けられたデータテーブル６１Ｂ、第２の電話番号「090-C」に対応付けられたデータテーブル６１Ｃ、の３つの異なるデータテーブル間では、第４の電話番号に対応した内線番号として、同一の内線番号800X、800Y、800Zが重複して設定されている。
【００３１】
ところで、図１の各装置および各端末は、ハードウェアの観点からみると、例えば図７に示すように、オペレーティングシステムやアプリケーションプログラムなどを実行するＣＰＵ１００Ａと、ＲＯＭ及びＲＡＭで構成される主記憶部１００Ｂと、不揮発性メモリなどで構成される補助記憶部１００Ｃと、データ通信を行う通信制御部１００Ｄと、情報の表示や情報の印刷出力などを行う出力部１００Ｅと、文字・数字入力及び実行指示を行うためのキーで構成される操作部１００Ｆとを含んで構成される。なお、図１にて説明した各機能は、図７に示すＣＰＵ１００Ａ及び主記憶部１００Ｂ上に所定のソフトウェアを読み込ませて所定のアプリケーションを実行するとともに、ＣＰＵ１００Ａの制御の下で通信制御部１００Ｄを動作させ、主記憶部１００Ｂや補助記憶部１００Ｃにおけるデータの読み出し及び書き込みを行うことで実現される。
【００３２】
（本実施形態の処理フロー）
以下、図４、図５、図６を用いて、図１の通信システム１において実行される処理フローを説明する。各電話番号の具体例は、図２、図３、図６に示す例を用いて説明する。
【００３３】
まず、発信側端末１０の発信部１１が、発番号の第１の電話番号（090-X）および着番号の第２の電話番号（090-A）を含んだ接続要求を送信する（図４のステップＳ１）。そして、発信側端末１０の最寄りの交換局２０は、着番号（第２の電話番号：090-A）が着信者番号変換装置３０による変換処理の対象となっているか否かを判定する所定の判定処理を行う（ステップＳ２）。本実施形態では、着信側端末７０の電話番号（第２の電話番号：090-A）が着信者番号変換装置３０による変換処理の対象となっていることを前提とする。そのため、ステップＳ２では着番号が着信者番号変換装置３０による変換処理の対象となっていると判定され、発信側端末１０からの接続要求は着信者番号変換装置３０へ転送される。
【００３４】
着信者番号変換装置３０では、着番号変換送信部３１が、発信側端末１０からの接続要求を受信し、第２の電話番号（090-A）を第３の電話番号（050-A）に変換し、第１の電話番号（090-X）および第３の電話番号（050-A）を含んだ変換後の接続要求を送信する（ステップＳ３）。変換後の接続要求は、図示しないゲートウェイ経由でＩＰ網９０内の内線番号変換装置４０へ転送される。
【００３５】
内線番号変換装置４０では、変換送信部４１が、着信者番号変換装置３０から転送された接続要求を受信し、第３の電話番号（050-A）を、該第３の電話番号に対応した内線番号（内線800A）に変換し、第１の電話番号（090-X）、および第３の電話番号に対応した内線番号（内線800A）を含んだ変換後の接続要求を送信する（ステップＳ４）。
【００３６】
発着信制御装置５０では、番号問合せ部５１が、内線番号変換装置４０から転送された接続要求を第１の呼として受信し、受信した第１の呼の発着信情報を番号管理装置６０へ送信することで、該発着信情報に対応する番号情報を問い合わせる（ステップＳ５）。
【００３７】
番号管理装置６０では、上記問合せを受信すると、番号情報の導出処理（図５）が実行開始される。まず、データテーブル導出部６２は、発着信制御装置５０からの上記第１の呼の発着信情報を受信し（図５のステップＳ６０）、発着信情報に含まれた着番号が、第３の電話番号に対応した内線番号（内線800A）であることを確認する（ステップＳ６１）。ここで、もし着番号が、第３の電話番号に対応した内線番号（内線800A）でなければ、データテーブル導出部６２は、第１の呼を切断させるべく、第１の呼の切断指示を発着信制御装置５０へ送信する（ステップＳ６９）。このように着番号が、第３の電話番号に対応した内線番号（内線800A）でないケースとしては、着番号が、第４の電話番号に対応した内線番号（内線800X）又は第５の電話番号に対応した内線番号（内線800S）であるケース、即ち、紛失した着信側端末から、着信履歴を利用して発信側端末へ発信したケースが想定される。即ち、仮に、紛失した着信側端末から、着信履歴を利用して発信側端末へ発信した場合には、着信者番号が、第４の電話番号に対応した内線番号（内線800X）又は第５の電話番号に対応した内線番号（内線800S）であると認識され、第１の呼の切断指示が発着信制御装置へ送信されるため、上記のような発信側端末への発信の呼（第１の呼）は切断されてしまい、その結果、端末紛失時のセキュリティを十分に確保することができる。
【００３８】
一方、ステップＳ６１で、着番号が、第３の電話番号に対応した内線番号（内線800A）であると確認された場合は、データテーブル導出部６２は、発着信情報に含まれた第３の電話番号に対応した内線番号（内線800A）をキーとして、第２の電話番号（090-A）と、該第２の電話番号に対応付けられたデータテーブルと、を導出する（ステップＳ６２）。ここでは、図２の番号管理ＤＢ６１において、第２の電話番号（090-A）に対応付けられたデータテーブルとして、図３に示す第１の電話番号と第４の電話番号に対応した内線番号との複数の組合せから成るデータテーブルが導出される。
【００３９】
そして、照合部６３が、第１の電話番号（090-X）を上記データテーブルと照合し（ステップＳ６３）、第１の電話番号（090-X）に対応付けられた「第４の電話番号に対応した内線番号（内線800X）」がデータテーブルに存在するか否かを判定する（ステップＳ６４）。
【００４０】
ここで、第４の電話番号に対応した内線番号（内線800X）がデータテーブルに存在する場合、番号送信制御部６４は、第４の電話番号に対応した内線番号（内線800X）と第２の電話番号（090-A）とを発着信制御装置５０に送信する（ステップＳ６５）。一方、ステップＳ６４で第４の電話番号に対応した内線番号（内線800X）がデータテーブルに存在しない場合、番号送信制御部６４は、予め設定された未登録者着信可否設定情報を参照し、未登録者への着信不可と設定されていれば、第１の呼を切断させるべく、第１の呼の切断指示を発着信制御装置５０へ送信する（ステップＳ６９）。一方、未登録者への着信可能と設定されていれば、未登録者用のダミー番号としての「第５の電話番号（050-S）に対応した内線番号（内線800S）」を導出し（ステップＳ６７）、第５の電話番号に対応した内線番号（内線800S）と第２の電話番号（090-A）とを発着信制御装置５０に送信する（ステップＳ６８）。
【００４１】
以上のような番号情報の導出処理（図５）により、(1)第１の呼の切断指示、(2)第４の電話番号に対応した内線番号（内線800X）と第２の電話番号（090-A）、(3)第５の電話番号に対応した内線番号（内線800S）と第２の電話番号（090-A）、のうち何れかが、番号管理装置６０から発着信制御装置５０へ送信されることとなる。
【００４２】
図４に戻り、発着信制御装置５０では、発信制御部５２が、番号管理装置６０から第１の呼の切断指示を受信したか否かを判定し（ステップＳ７）、第１の呼の切断指示を受信したと判定した場合、第１の呼を切断する（ステップＳ８）。一方、ステップＳ７で否定判定の場合は、受信した電話番号を用いて以下のように第２の呼の発信を行う（ステップＳ９）。即ち、第４の電話番号に対応した内線番号（内線800X）と第２の電話番号（090-A）とが受信された場合、発信制御部５２は、第４の電話番号に対応した内線番号（内線800X）を発信者番号に設定し、第２の電話番号（090-A）を着信者番号に設定して第２の呼として発信を行う。一方、第５の電話番号に対応した内線番号（内線800S）と第２の電話番号（090-A）とを受信した場合、発信制御部５２は、第５の電話番号に対応した内線番号（内線800S）を発信者番号に設定し、第２の電話番号（090-A）を着信者番号に設定して第２の呼として発信を行う。
【００４３】
上記第２の呼は内線番号変換装置４０へ転送され、内線番号変換装置４０では、逆変換送信部４２が、発着信制御装置５０からの第２の呼の接続要求を受信した後、該接続要求の発信者番号に設定された第４の電話番号に対応した内線番号（内線800X）を第４の電話番号（050-X）に逆変換し該第４の電話番号（050-X）が発信者番号に設定された接続要求を送信する、又は、該接続要求の発信者番号に設定された第５の電話番号に対応した内線番号（内線800S）を第５の電話番号（050-S）に逆変換し該第５の電話番号（050-S）が発信者番号に設定された接続要求を送信する（ステップＳ１０）。その後、第２の呼は、図示しないゲートウェイ経由で移動通信網８０内の交換局２０へ転送され、着信側端末７０へルーティングされる。
【００４４】
着信側端末７０では、接続要求受信部７１が、第４の電話番号（050-X）又は第５の電話番号（050-S）が発信者番号に設定され第２の電話番号（090-A）が着信者番号に設定された、内線番号変換装置４０からの接続要求を受信する（ステップＳ１１）。ここで、例えば、登録者用のダミーＩＤである第４の電話番号（050-X）が発信者番号に設定され第２の電話番号（090-A）が着信者番号に設定された接続要求を受信した場合、着信側端末７０内の電話帳に、ダミーＩＤである第４の電話番号（050-X）が既に登録されていれば、当該第４の電話番号（050-X）に対応する発信者（Ｘさん）が特定され、図６に示すように発信者名（Ｘさん）と発番号（050-X）が着信側端末７０に表示出力される。ここで表示出力される発番号は、発信側端末の実際の発番号（090-X）ではなく、ダミーＩＤである第４の電話番号（050-X）となる。
【００４５】
そして、着信側端末７０のユーザが応答すると、応答部７２が、発着信制御装置５０に対し応答する（例えば、所定の応答信号を発着信制御装置５０へ送信する）（ステップＳ１２）。
【００４６】
そして、発着信制御装置５０の呼接続部５３は、着信側端末７０からの応答を検知すると、第１の呼と第２の呼とを接続し、発信側端末１０と着信側端末７０との間を呼接続する（ステップＳ１３）。これにより、発信側端末１０と着信側端末７０との間で通話が開始される（ステップＳ１４）。
【００４７】
以上のような本実施形態の通信システムでは、前述したように、仮に紛失した着信側端末から、着信履歴を利用して発信側端末へ発信した場合であっても、着信者番号が、第４の電話番号に対応した内線番号又は第５の電話番号に対応した内線番号であると認識され、第１の呼の切断指示が発着信制御装置へ送信される。そのため、上記のような発信側端末への発信の呼（第１の呼）は切断されてしまい、その結果、端末紛失時のセキュリティを十分に確保することができる。
【００４８】
また、番号管理ＤＢでは、異なる第２の電話番号に対応付けられた異なるデータテーブル間では、第４の電話番号に対応した内線番号として、同一の番号が重複して設定されている。そのため、設定可能な番号の総数が有限な状況において、システムの優れた拡張可能性を維持することができる。
【００４９】
（発着信制御装置と番号管理装置を１つの装置で構成した場合について）
第１実施形態における発着信制御装置５０と番号管理装置６０は、１つの通信制御装置により構成することもできる。その場合の通信制御装置の構成について、以下、概説する。
【００５０】
図８に示すように、通信システム１のＩＰ網９０内に、図１の発着信制御装置５０と番号管理装置６０を統合させた通信制御装置１００が設けられる。この通信制御装置１００の機能ブロック構成は、例えば、以下のように構成することができる。即ち、通信制御装置１００は、接続要求受信部１０１と、番号管理ＤＢ１０２と、データテーブル導出部１０３と、照合部１０４と、番号出力制御部１０５と、発信制御部１０６と、呼接続部１０７とを備える。各構成部の機能は以下のとおりである。
【００５１】
接続要求受信部１０１は、第１の呼として発信側端末から送信された、第１の電話番号および第２の電話番号を含んだ接続要求に対し、着信者番号変換装置により、第２の電話番号が第３の電話番号に変換され、内線番号変換装置により、第３の電話番号が該第３の電話番号に対応した内線番号に変換された後の、第１の電話番号および第３の電話番号に対応した内線番号を含んだ変換後の接続要求を受信する。
【００５２】
番号管理ＤＢ１０２は、第３の電話番号に対応した内線番号をキーとして、第３の電話番号に対応した内線番号、第２の電話番号、および、第１の電話番号と第４の電話番号に対応した内線番号との複数の組合せから成るデータテーブル、を対応付けて記憶している。図１、図２に示す番号管理ＤＢと同様の構成である。
【００５３】
データテーブル導出部１０３は、変換後の接続要求に含まれた第３の電話番号に対応した内線番号をキーとして、第２の電話番号と、該第２の電話番号に対応付けられたデータテーブルと、を導出する。図１のデータテーブル導出部６２と同様の機能を持つ。
【００５４】
照合部１０４は、図１の照合部６３と同様に、第１の電話番号を上記のデータテーブルと照合する。
【００５５】
番号出力制御部１０５は、第１の電話番号に対応付けられた、第４の電話番号に対応した内線番号が上記データテーブルに存在する場合、当該第４の電話番号に対応した内線番号と第２の電話番号とを出力し、第４の電話番号に対応した内線番号が上記データテーブルに存在しない場合、未登録者への着信可否を示す未登録者着信可否設定情報に応じて、第１の呼の切断指示を出力する、又は、第５の電話番号に対応した内線番号と第２の電話番号とを出力する。
【００５６】
発信制御部１０６は、第１の呼の切断指示が出力された場合、第１の呼を切断し、第４の電話番号に対応した内線番号と第２の電話番号とが出力された場合、第４の電話番号に対応した内線番号を発信者番号に設定し、第２の電話番号を着信者番号に設定して第２の呼として発信を行い、第５の電話番号に対応した内線番号と第２の電話番号とが出力された場合、第５の電話番号に対応した内線番号を発信者番号に設定し、第２の電話番号を着信者番号に設定して第２の呼として発信を行う。
【００５７】
呼接続部１０７は、図１の呼接続部５３と同様に、着信側端末からの応答に対し、第１の呼と第２の呼とを接続し、発信側端末と着信側端末との間を呼接続する。
【００５８】
かかる通信制御装置１００において、データテーブル導出部１０３は、第１の呼の発着信情報における着信者番号が、第４の電話番号に対応した内線番号又は第５の電話番号に対応した内線番号であると判断した場合、第１の呼の切断指示を発信制御部へ出力する構成とされている。これにより、仮に紛失した着信側端末から、着信履歴を利用して発信側端末へ発信した場合であっても、着信者番号が、第４の電話番号に対応した内線番号又は第５の電話番号に対応した内線番号であると認識され、第１の呼の切断指示が発着信制御装置へ送信される。そのため、上記のような発信側端末への発信の呼（第１の呼）は切断されてしまい、その結果、端末紛失時のセキュリティを十分に確保することができる。
【００５９】
また、番号管理ＤＢ１０２では、異なる第２の電話番号に対応付けられた異なるデータテーブル間では、第４の電話番号に対応した内線番号として、同一の番号が重複して設定されている。そのため、設定可能な番号の総数が有限な状況において、システムの優れた拡張可能性を維持することができる。
【００６０】
［第２実施形態］
（通信システムおよび各装置の構成）
まず、本実施形態にかかる通信システムの構成について説明する。図９に示すように、本実施形態にかかる通信システム２は、複数の端末（発信側端末１１０、着信側端末１７０）と、交換局１２０と、着信者番号変換装置１３０と、発着信制御装置１５０と、番号管理装置１６０とを含んで構成される。このうち、交換局１２０と着信者番号変換装置１３０は移動通信網１８０内に設けられ、発着信制御装置１５０と番号管理装置１６０はＩＰ網１９０内に設けられている。移動通信網１８０とＩＰ網１９０は、図示しないゲートウェイ装置により相互接続される。
【００６１】
通信システム２では、発信者番号としての第１の電話番号および着信者番号としての第２の電話番号とともに、第２の電話番号に予め対応付けられた第３の電話番号、第１の電話番号に予め対応付けられたダミー番号としての第４の電話番号、および未登録者用のダミー番号としての第５の電話番号が存在し、第３の電話番号、第４の電話番号および第５の電話番号のうち何れかを発信者番号とする接続要求は、ＩＰ網１９０内の発着信制御装置１５０へルーティングされるよう構成されている。
【００６２】
以下、各装置の機能ブロック構成を説明する。
【００６３】
発信側端末１１０は、第１の電話番号および第２の電話番号を含んだ接続要求を送信する発信部１１１を備え、着信者番号変換装置１３０は、発信側端末１１０から送信された接続要求を受信し、第２の電話番号を第３の電話番号に変換し、第１の電話番号および第３の電話番号を含んだ変換後の接続要求を送信する着番号変換送信部１３１を備えている。
【００６４】
発着信制御装置１５０は、番号問合せ部１５１と発信制御部１５２と呼接続部１５３とを備えている。このうち、番号問合せ部１５１は、着信者番号変換装置１３０から送信された接続要求を第１の呼として受信し、受信した第１の呼の発着信情報を番号管理装置１６０へ送信することで、該発着信情報に対応する番号情報を問い合わせる。発信制御部１５２は、第１の呼の切断指示を受信した場合、第１の呼を切断し、第４の電話番号と第２の電話番号とを受信した場合、第４の電話番号を発信者番号に設定し、第２の電話番号を着信者番号に設定して第２の呼として発信を行い、第５の電話番号と第２の電話番号とを受信した場合、第５の電話番号を発信者番号に設定し、第２の電話番号を着信者番号に設定して第２の呼として発信を行う。呼接続部１５３は、着信側端末１７０からの応答に対し、第１の呼と第２の呼とを接続し、発信側端末１１０と着信側端末１７０との間を呼接続する。
【００６５】
番号管理装置１６０は、番号管理ＤＢ１６１とデータテーブル導出部１６２と照合部１６３と番号送信制御部１６４とを備えている。このうち、番号管理ＤＢ１６１は、第３の電話番号をキーとして、第３の電話番号、第２の電話番号、および、第１の電話番号と第４の電話番号との複数の組合せから成るデータテーブル、を対応付けて記憶している。データテーブル導出部１６２は、発着信制御装置１５０から第１の呼の発着信情報を受信し、第１の呼の発着信情報に含まれた第３の電話番号をキーとして、第２の電話番号と、該第２の電話番号に対応付けられたデータテーブルと、を導出する。照合部１６３は、第１の電話番号を該データテーブルと照合する。番号送信制御部１６４は、第１の電話番号に対応付けられた第４の電話番号が上記データテーブルに存在する場合、当該第４の電話番号と第２の電話番号とを発着信制御装置５０に送信し、第４の電話番号が上記データテーブルに存在しない場合、未登録者への着信可否を示す未登録者着信可否設定情報に応じて、第１の呼の切断指示を発着信制御装置１５０に送信する、又は、第５の電話番号と第２の電話番号とを発着信制御装置１５０に送信する。
【００６６】
なお、図示は省略したが、番号管理ＤＢ１６１は、上記の未登録者着信可否設定情報をユーザごとに記憶しており、この未登録者着信可否設定情報はユーザにより設定変更可能とされている。番号送信制御部１６４は、上記の未登録者着信可否設定情報を参照して、上述した制御動作を行う。また、番号管理ＤＢ１６１には、未登録者用のダミーＩＤとしての第５の電話番号050-Sが予め記憶されている。
【００６７】
着信側端末１７０は、第４の電話番号又は第５の電話番号が発信者番号に設定され第２の電話番号が着信者番号に設定された、発着信制御装置１５０からの接続要求を受信する接続要求受信部１７１と、受信した接続要求に応答する応答部１７２と、を備えている。
【００６８】
上記のうち、番号管理装置１６０のデータテーブル導出部１６２は、発着信制御装置１５０から受信した第１の呼の発着信情報における着信者番号が、第４の電話番号又は第５の電話番号である場合、第１の呼の切断指示を発着信制御装置１５０へ送信する機能を有している。
【００６９】
また、番号管理ＤＢ１６１では、異なる第２の電話番号に対応付けられた異なるデータテーブル間では、第４の電話番号として、同一の番号が重複して設定されていることを特徴とする。
【００７０】
具体的には、図１０に示すように番号管理ＤＢ１６１では、第２の電話番号「090-A」に対応付けられたデータテーブル１６１Ａ、第２の電話番号「090-B」に対応付けられたデータテーブル１６１Ｂ、第２の電話番号「090-C」に対応付けられたデータテーブル１６１Ｃ、の３つの異なるデータテーブル間では、第４の電話番号として、同一の番号050-X、050-Y、050-Zが重複して設定されている。
【００７１】
ところで、図９の各装置および各端末は、ハードウェアの観点からみると、例えば図７に示すように、オペレーティングシステムやアプリケーションプログラムなどを実行するＣＰＵ１００Ａと、ＲＯＭ及びＲＡＭで構成される主記憶部１００Ｂと、不揮発性メモリなどで構成される補助記憶部１００Ｃと、データ通信を行う通信制御部１００Ｄと、情報の表示や情報の印刷出力などを行う出力部１００Ｅと、文字・数字入力及び実行指示を行うためのキーで構成される操作部１００Ｆとを含んで構成される。なお、図９にて説明した各機能は、図７に示すＣＰＵ１００Ａ及び主記憶部１００Ｂ上に所定のソフトウェアを読み込ませて所定のアプリケーションを実行するとともに、ＣＰＵ１００Ａの制御の下で通信制御部１００Ｄを動作させ、主記憶部１００Ｂや補助記憶部１００Ｃにおけるデータの読み出し及び書き込みを行うことで実現される。
【００７２】
（本実施形態の処理フロー）
以下、図１２、図１３、図１４を用いて、図９の通信システム２において実行される処理フローを説明する。各電話番号の具体例は、図１０、図１１、図１４に示す例を用いて説明する。
【００７３】
まず、発信側端末１１０の発信部１１１が、発番号の第１の電話番号（090-X）および着番号の第２の電話番号（090-A）を含んだ接続要求を送信する（図１２のステップＳ２１）。そして、発信側端末１１０の最寄りの交換局１２０は、着番号（第２の電話番号：090-A）が着信者番号変換装置１３０による変換処理の対象となっているか否かを判定する所定の判定処理を行う（ステップＳ２２）。本実施形態では、着信側端末１７０の電話番号（第２の電話番号：090-A）が着信者番号変換装置１３０による変換処理の対象となっていることを前提とする。そのため、ステップＳ２２では着番号が着信者番号変換装置１３０による変換処理の対象となっていると判定され、発信側端末１１０からの接続要求は着信者番号変換装置１３０へ転送される。
【００７４】
着信者番号変換装置１３０では、着番号変換送信部１３１が、発信側端末１１０からの接続要求を受信し、第２の電話番号（090-A）を第３の電話番号（050-A）に変換し、第１の電話番号（090-X）および第３の電話番号（050-A）を含んだ変換後の接続要求を送信する（ステップＳ２３）。変換後の接続要求は、図示しないゲートウェイ経由でＩＰ網１９０内の発着信制御装置１５０へ転送される。
【００７５】
発着信制御装置１５０では、番号問合せ部１５１が、転送された接続要求を第１の呼として受信し、受信した第１の呼の発着信情報を番号管理装置１６０へ送信することで、該発着信情報に対応する番号情報を問い合わせる（ステップＳ２４）。
【００７６】
番号管理装置１６０では、上記問合せを受信すると、番号情報の導出処理（図１３）が実行開始される。まず、データテーブル導出部１６２は、発着信制御装置１５０からの上記第１の呼の発着信情報を受信し（図１３のステップＳ８０）、発着信情報に含まれた着番号が、第３の電話番号（050-A）であることを確認する（ステップＳ８１）。ここで、もし着番号が第３の電話番号（050-A）でなければ、データテーブル導出部１６２は、第１の呼を切断させるべく、第１の呼の切断指示を発着信制御装置１５０へ送信する（ステップＳ８９）。このように着番号が第３の電話番号（050-A）でないケースとしては、着番号が、第４の電話番号（050-X）又は第５の電話番号（050-S）であるケース、即ち、紛失した着信側端末から、着信履歴を利用して発信側端末へ発信したケースが想定される。即ち、仮に、紛失した着信側端末から、着信履歴を利用して発信側端末へ発信した場合には、着信者番号が、第４の電話番号（050-X）又は第５の電話番号（050-S）であると認識され、第１の呼の切断指示が発着信制御装置へ送信されるため、上記のような発信側端末への発信の呼（第１の呼）は切断されてしまい、その結果、端末紛失時のセキュリティを十分に確保することができる。
【００７７】
一方、ステップＳ８１で、着番号が第３の電話番号（050-A）であると確認された場合は、データテーブル導出部１６２は、発着信情報に含まれた第３の電話番号（050-A）をキーとして、第２の電話番号（090-A）と、該第２の電話番号に対応付けられたデータテーブルと、を導出する（ステップＳ８２）。ここでは、図１０の番号管理ＤＢ１６１において、第２の電話番号（090-A）に対応付けられたデータテーブルとして、図１１に示す第１の電話番号と第４の電話番号との複数の組合せから成るデータテーブルが導出される。
【００７８】
そして、照合部１６３が、第１の電話番号（090-X）を上記データテーブルと照合し（ステップＳ８３）、第１の電話番号（090-X）に対応付けられた第４の電話番号（050-X）がデータテーブルに存在するか否かを判定する（ステップＳ８４）。
【００７９】
ここで、第４の電話番号（050-X）がデータテーブルに存在する場合、番号送信制御部１６４は、第４の電話番号（050-X）と第２の電話番号（090-A）とを発着信制御装置１５０に送信する（ステップＳ８５）。一方、ステップＳ８４で第４の電話番号（050-X）がデータテーブルに存在しない場合、番号送信制御部１６４は、予め設定された未登録者着信可否設定情報を参照し、未登録者への着信不可と設定されていれば、第１の呼を切断させるべく、第１の呼の切断指示を発着信制御装置１５０へ送信する（ステップＳ８９）。一方、未登録者への着信可能と設定されていれば、未登録者用のダミー番号としての第５の電話番号（050-S）を導出し（ステップＳ８７）、第５の電話番号（050-S）と第２の電話番号（090-A）とを発着信制御装置１５０に送信する（ステップＳ８８）。
【００８０】
以上のような番号情報の導出処理（図１３）により、(1)第１の呼の切断指示、(2)第４の電話番号（050-X）と第２の電話番号（090-A）、(3)第５の電話番号（050-S）と第２の電話番号（090-A）、のうち何れかが、番号管理装置１６０から発着信制御装置１５０へ送信されることとなる。
【００８１】
図１２に戻り、発着信制御装置１５０では、発信制御部１５２が、番号管理装置１６０から第１の呼の切断指示を受信したか否かを判定し（ステップＳ２６）、第１の呼の切断指示を受信したと判定した場合、第１の呼を切断する（ステップＳ２７）。一方、ステップＳ２６で否定判定の場合は、受信した電話番号を用いて以下のように第２の呼の発信を行う（ステップＳ２８）。即ち、第４の電話番号（050-X）と第２の電話番号（090-A）とが受信された場合、発信制御部１５２は、第４の電話番号（050-X）を発信者番号に設定し、第２の電話番号（090-A）を着信者番号に設定して第２の呼として発信を行う。一方、第５の電話番号（050-S）と第２の電話番号（090-A）とを受信した場合、発信制御部１５２は、第５の電話番号（050-S）を発信者番号に設定し、第２の電話番号（090-A）を着信者番号に設定して第２の呼として発信を行う。
【００８２】
上記第２の呼は、図示しないゲートウェイ経由で移動通信網１８０内の交換局１２０へ転送され、着信側端末１７０へルーティングされる。
【００８３】
着信側端末１７０では、接続要求受信部１７１が、第４の電話番号（050-X）又は第５の電話番号（050-S）が発信者番号に設定され第２の電話番号（090-A）が着信者番号に設定された、発着信制御装置１５０からの接続要求を受信する（ステップＳ２９）。ここで、例えば、登録者用のダミーＩＤである第４の電話番号（050-X）が発信者番号に設定され第２の電話番号（090-A）が着信者番号に設定された接続要求を受信した場合、着信側端末１７０内の電話帳に、ダミーＩＤである第４の電話番号（050-X）が既に登録されていれば、当該第４の電話番号（050-X）に対応する発信者（Ｘさん）が特定され、図１４に示すように発信者名（Ｘさん）と発番号（050-X）が着信側端末１７０に表示出力される。ここで表示出力される発番号は、発信側端末の実際の発番号（090-X）ではなく、ダミーＩＤである第４の電話番号（050-X）となる。
【００８４】
そして、着信側端末１７０のユーザが応答すると、応答部１７２が、発着信制御装置１５０に対し応答する（例えば、所定の応答信号を発着信制御装置１５０へ送信する）（ステップＳ３０）。
【００８５】
そして、発着信制御装置１５０の呼接続部１５３は、着信側端末１７０からの応答を検知すると、第１の呼と第２の呼とを接続し、発信側端末１１０と着信側端末１７０との間を呼接続する（ステップＳ３１）。これにより、発信側端末１１０と着信側端末１７０との間で通話が開始される（ステップＳ３２）。
【００８６】
以上のような本実施形態の通信システムでも、第１実施形態と同様に、仮に紛失した着信側端末から、着信履歴を利用して発信側端末へ発信した場合であっても、着信者番号が、第４の電話番号又は第５の電話番号であると認識され、第１の呼の切断指示が発着信制御装置へ送信される。そのため、上記のような発信側端末への発信の呼（第１の呼）は切断されてしまい、その結果、端末紛失時のセキュリティを十分に確保することができる。
【００８７】
また、番号管理ＤＢでは、異なる第２の電話番号に対応付けられた異なるデータテーブル間では、第４の電話番号として、同一の番号が重複して設定されている。そのため、設定可能な番号の総数が有限な状況において、システムの優れた拡張可能性を維持することができる。
【００８８】
（発着信制御装置と番号管理装置を１つの装置で構成した場合について）
第２実施形態における発着信制御装置１５０と番号管理装置１６０は、１つの通信制御装置により構成することもできる。その場合の通信制御装置の構成について、以下、概説する。
【００８９】
図１５に示すように、通信システム２のＩＰ網１９０内に、図９の発着信制御装置１５０と番号管理装置１６０を統合させた通信制御装置２００が設けられる。この通信制御装置２００の機能ブロック構成は、例えば、以下のように構成することができる。即ち、通信制御装置２００は、接続要求受信部２０１と、番号管理ＤＢ２０２と、データテーブル導出部２０３と、照合部２０４と、番号出力制御部２０５と、発信制御部２０６と、呼接続部２０７とを備える。各構成部の機能は以下のとおりである。
【００９０】
接続要求受信部２０１は、第１の呼として発信側端末から送信された、第１の電話番号および第２の電話番号を含んだ接続要求に対し、着信者番号変換装置により、第２の電話番号が第３の電話番号に変換された後の、第１の電話番号および第３の電話番号を含んだ変換後の接続要求を受信する。
【００９１】
番号管理ＤＢ２０２は、第３の電話番号をキーとして、第３の電話番号、第２の電話番号、および、第１の電話番号と第４の電話番号との複数の組合せから成るデータテーブル、を対応付けて記憶している。図９、図１０に示す番号管理ＤＢと同様の構成である。
【００９２】
データテーブル導出部２０３は、変換後の接続要求に含まれた第３の電話番号をキーとして、第２の電話番号と、該第２の電話番号に対応付けられたデータテーブルと、を導出する。図９のデータテーブル導出部１６２と同様の機能を持つ。
【００９３】
照合部２０４は、図９の照合部１６３と同様に、第１の電話番号を上記のデータテーブルと照合する。
【００９４】
番号出力制御部２０５は、第１の電話番号に対応付けられた第４の電話番号が上記データテーブルに存在する場合、当該第４の電話番号と第２の電話番号とを出力し、第４の電話番号が上記データテーブルに存在しない場合、未登録者への着信可否を示す未登録者着信可否設定情報に応じて、第１の呼の切断指示を出力する、又は、第５の電話番号と第２の電話番号とを出力する。
【００９５】
発信制御部２０６は、第１の呼の切断指示が出力された場合、第１の呼を切断し、第４の電話番号と第２の電話番号とが出力された場合、第４の電話番号を発信者番号に設定し、第２の電話番号を着信者番号に設定して第２の呼として発信を行い、第５の電話番号と第２の電話番号とが出力された場合、第５の電話番号を発信者番号に設定し、第２の電話番号を着信者番号に設定して第２の呼として発信を行う。
【００９６】
呼接続部２０７は、図９の呼接続部１５３と同様に、着信側端末からの応答に対し、第１の呼と第２の呼とを接続し、発信側端末と着信側端末との間を呼接続する。
【００９７】
かかる通信制御装置２００において、データテーブル導出部２０３は、第１の呼の発着信情報における着信者番号が、第４の電話番号又は第５の電話番号であると判断した場合、第１の呼の切断指示を発信制御部へ出力する構成とされている。これにより、仮に紛失した着信側端末から、着信履歴を利用して発信側端末へ発信した場合であっても、着信者番号が、第４の電話番号又は第５の電話番号であると認識され、第１の呼の切断指示が発着信制御装置へ送信される。そのため、上記のような発信側端末への発信の呼（第１の呼）は切断されてしまい、その結果、端末紛失時のセキュリティを十分に確保することができる。
【００９８】
また、番号管理ＤＢ２０２では、異なる第２の電話番号に対応付けられた異なるデータテーブル間では、第４の電話番号として、同一の番号が重複して設定されている。そのため、設定可能な番号の総数が有限な状況において、システムの優れた拡張可能性を維持することができる。
【図面の簡単な説明】
【００９９】
【図１】第１実施形態に係る通信システムの構成図である。
【図２】番号管理ＤＢの構造およびデータ例を示す図である。
【図３】導出されたデータテーブルの一例を示す図である。
【図４】第１実施形態の処理を示す流れ図である。
【図５】番号情報の導出処理のサブルーチンを示す流れ図である。
【図６】図４の処理を説明するための図である。
【図７】第１、第２実施形態の各装置および各端末のハードウェア構成図である。
【図８】第１実施形態にて発着信制御装置と番号管理装置を１つの装置で構成した場合の通信システムの構成図である。
【図９】第２実施形態に係る通信システムの構成図である。
【図１０】番号管理ＤＢの構造およびデータ例を示す図である。
【図１１】導出されたデータテーブルの一例を示す図である。
【図１２】第２実施形態の処理を示す流れ図である。
【図１３】番号情報の導出処理のサブルーチンを示す流れ図である。
【図１４】図１１の処理を説明するための図である。
【図１５】第２実施形態にて発着信制御装置と番号管理装置を１つの装置で構成した場合の通信システムの構成図である。
【符号の説明】
【０１００】
１、２…通信システム、１０、１１０…発信側端末、１１、１１１…発信部、２０、１２０…交換局、３０、１３０…着信者番号変換装置、３１、１３１…着番号変換送信部、４０、１４０…内線番号変換装置、４１、１４１…変換送信部、４２、１４２…逆変換送信部、５０、１５０…発着信制御装置、５１、１５１…番号問合せ部、５２、１５２…発信制御部、５３、１５３…呼接続部、６０、１６０…番号管理装置、６１、１６１…番号管理ＤＢ、６１Ａ、６１Ｂ、６１Ｃ、１６１Ａ、１６１Ｂ、１６１Ｃ…データテーブル、６２、１６２…データテーブル導出部、６３、１６３…照合部、６４、１６４…番号送信制御部、７０、１７０…着信側端末、７１、１７１…接続要求受信部、７２、１７２…応答部、８０、１８０…移動通信網、９０、１９０…ＩＰ網、１００、２００…通信制御装置、１００Ａ…ＣＰＵ、１００Ｂ…主記憶部、１００Ｃ…補助記憶部、１００Ｄ…通信制御部、１００Ｅ…出力部、１００Ｆ…操作部、１０１、２０１…接続要求受信部、１０２、２０２…番号管理ＤＢ、１０３、２０３…データテーブル導出部、１０４、２０４…照合部、１０５、２０５…番号出力制御部、１０６、２０６…発信制御部、１０７、２０７…呼接続部。
【図１】
0005156463.tif 000002
【図２】
0005156463.tif 000003
【図３】
0005156463.tif 000004
【図４】
0005156463.tif 000005
【図５】
0005156463.tif 000006
【図６】
0005156463.tif 000007
【図７】
0005156463.tif 000008
【図８】
0005156463.tif 000009
【図９】
0005156463.tif 000010
【図１０】
0005156463.tif 000011
【図１１】
0005156463.tif 000012
【図１２】
0005156463.tif 000013
【図１３】
0005156463.tif 000014
【図１４】
0005156463.tif 000015
【図１５】
0005156463.tif 000016